(57)【要約】      （修正有）【課題】高い着心地性を有し、運動時の負荷を軽減可能な衣類を提供する。【解決手段】衣類１は、ジャケット１１と、パンツ１２と、を備える。ジャケット１１は、前身頃２１と、後身頃と、一対の袖２３と、襟２４と、を備えている。ジャケット１１は、脇ポケットを有する。ジャケット１１は、複数の部材を腕の動き及び筋肉の構造に沿うとともに、関節部分を避けた縫い線で縫い合わせることで構成される。後身頃の後裾は、前身頃２１の前裾よりも下方に配置される。換言すると、ジャケット１１は、前裾を後裾よりも上げた形状を有する。後身頃は、肩甲骨から肩関節の側方及び下方を通り上腕三頭筋までの範囲を、伸縮性に富んだ布材により一体に構成される。また、前身頃２１及び後身頃は、分界線及び皮膚構造線に基づく体のカーブに沿った縫い線で縫われた部材、及び、フライスにより構成された裾を介して連続する。【選択図】図１
0003207619.tif 000002
【実用新案登録請求の範囲】
【請求項１】
裁断された複数の部材と、
人体の動き及び筋肉構造に沿うとともに、人体の関節を避けて配置された、前記複数の部材を縫い合わせる縫い目と、
を備えることを特徴とする衣類。
【考案の詳細な説明】
【技術分野】
【０００１】
本考案は、運動時に着衣する衣類に関する。
【背景技術】
【０００２】
従前、学校等の施設において運動時に着衣する衣類として、ジャージー等を用いた運動着であるジャケット及びパンツが知られている。また、通気性を向上させる衣類等も知られている（例えば、特許文献１乃至特許文献３参照）。
【０００３】
このような衣類は、予め布材を裁断し、所定の形状とした部材を縫製することで構成される。例えば、ジャケットは、裁断した前身頃、後身頃及び袖等を縫い付けることで構成される。このように、衣類は、裁断した部材を縫製することで、ジャケット及びパンツが製造される。
【先行技術文献】
【特許文献】
【０００４】
【特許文献１】特開２０１５−１１８８７６号公報
【特許文献２】特開２０１５−２３２１８６号公報
【特許文献３】特開２０１３−１７４０４０号公報
【考案の概要】
【考案が解決しようとする課題】
【０００５】
上述の衣類は、以下のような問題があった。即ち、衣類を着用して運動したときに、衣類が抵抗となり、着用者にストレスを生じさせる虞や、着用者に負荷が加わる虞がある。特に、人体の可動部に衣類の切替線である縫い目が位置すると、運動時の抵抗となる。このため、着用して運動しても、着心地性が良く、負荷を増加させない衣類が求められていた。
【０００６】
そこで、本考案は、高い着心地性を有し、運動時の負荷を軽減可能な衣類を提供することを目的とする。
【課題を解決するための手段】
【０００７】
本考案の一態様に係る衣類は、裁断された複数の部材と、人体の動き及び筋肉構造に沿うとともに、人体の関節を避けて配置された、前記複数の部材を縫い合わせる縫い目と、を備える。
【考案の効果】
【０００８】
本考案によれば、高い着心地性を有し、運動時の負荷を軽減可能な衣類を提供することが可能となる。
【図面の簡単な説明】
【０００９】
【図１】本考案の一実施形態に係る衣類の構成を示す説明図。
【図２】同衣類のジャケットの構成を示す正面図。
【図３】同ジャケットの構成を示す背面図。
【図４】同ジャケットの構成を示す側面図。
【図５】同ジャケットの構成を示す側面図。
【図６】同ジャケットの構成を示す側面図。
【図７】同ジャケットの使用の一例を示す側面図。
【図８】同ジャケットの襟部の構成を示す背面図。
【図９】同衣類のパンツの構成を示す正面図。
【図１０】同パンツの構成を示す背面図。
【図１１】同パンツの構成を示す側面図。
【考案を実施するための形態】
【００１０】
以下、本考案の一実施形態に係る衣類１を図１乃至図１１を用いて説明する。  
図１は、本考案の一実施形態に係る衣類１の構成を示す説明図、図２は衣類１のジャケット１１の構成を示す正面図、図３はジャケット１１の構成を示す背面図、図４はジャケット１１の構成を示す側面図、図５はジャケット１１の構成であって、袖部を前方に向けた状態を示す側面図、図６はジャケット１１の構成であって、袖部を上方に向けた状態を示す側面図、図７はジャケット１１の構成であって、走行時の状態を示す側面図、図８は、ジャケット１１の襟２４の構成を示す背面図である。また、図９は衣類１のパンツ１２の構成を示す正面図、図１０はパンツ１２の構成を示す背面図、図１１はパンツ１２の構成を示す側面図である。本実施形態において、衣類１は、人が直立状態で着衣した状態で、上下及び左右を定義する。
【００１１】
図１に示すように、衣類１は、ジャケット１１と、パンツ１２と、を備える。衣類１は、所謂ジャージー等の布地により構成された運動着であり、例えば、中学校や高校等の教育機関で用いられる。
【００１２】
図１乃至図８に示すように、ジャケット１１は、前身頃２１と、後身頃２２と、一対の袖２３と、襟２４と、を備えている。ジャケット１１は、脇ポケット２５を有する。ジャケット１１は、複数の部材を腕の動き及び筋肉の構造に沿うとともに、関節部分を避けた縫い線で縫い合わせることで構成される。
【００１３】
前身頃２１は、中央に上下方向に沿って設けられ、前身頃２１の前裾から襟２４まで延びるファスナー２１ａを有する。前身頃２１は、下方左右にそれぞれ設けられた脇ポケット２５が設けられる。前身頃２１は、ファスナー２１ａを挟んで左右が分かれて構成され、当該ファスナー２１ａが閉じることにより左右が一体に構成される。前身頃２１の形状は、ファスナー２１ａを挟んで対称形状に構成される。なお、ジャケット１１は、ファスナー２１ａが半開する半開ファスナーを有する構成や、ファスナー無しのカブリ型であってもよく、このようなジャケット１１の場合には、前身頃２１は左右別体ではなく、左右一体の一枚で構成される。
【００１４】
後身頃２２の後裾は、前身頃２１の前裾よりも下方に配置される。換言すると、ジャケット１１は、前裾を後裾よりも上げた形状を有する。後身頃２２は、肩甲骨から肩関節の側方及び下方を通り上腕三頭筋までの範囲を、伸縮性に富んだ布材により一体に構成される。
【００１５】
また、前身頃２１及び後身頃２２は、分界線及び皮膚構造線に基づく体のカーブに沿った縫い線で縫われた部材、及び、フライスにより構成された裾を介して連続する。ここで、分界線とは、脊髄神経の抹消支配によるテリトリー（皮節）の境界線を意味し、また、皮膚構造線とは、皮膚を支配する皮神経の境界線を意味する。
【００１６】
図４に示すように、袖２３は、従来の袖１２３と比較し、肩から真下よりも前方に袖口２３ａが位置するように、肩から袖口２３ａまで、側面視で、斜め前下方に向かって延びる形状に構成される。また、袖２３は、正面視で、直立時の自然な姿勢の腕カーブに沿って構成される。袖２３は、肩関節の側方から上方を覆い、肩関節の上方及び前方を縫い目が避けるように構成される。
【００１７】
襟２４は、首に接触する襟口２４ａが軟らかい布地により構成される。即ち、襟２４は、２つの異なる布地により構成され、襟口２４ａは、例えば、軟らかく、首の形状に沿うフライスにより構成される。フライスにより構成される襟口２４ａは、襟口２４ａの上端部からの幅が、前方側から後方に向かって漸次大きくなり、頭部を後方へ傾斜させたときに、首に沿って変形可能に、後方で最も大きくなる。
【００１８】
ジャケット１１は、ジャケット１１着衣時に図２、図３及び図５中にマークしたように位置する人体の各関節１００を前身頃２１、後身頃２２、袖２３及び襟２４が覆うように複数の部材を縫い合わせることで構成される。換言すると、ジャケット１１は、関節１００に縫い目が位置することを避けて構成される。
【００１９】
具体的には、図２、図３及び図５乃至図７に示すように、ジャケット１１は、一対の表前身３１と、一対の前ヨーク３２と、一つの背ヨーク３３と、一つの背切替３４と、一つの表背身３５と、一対の脇ハギ３６と、一対の脇切替裾３７と、一対の表袖３８と、一対の後袖３９と、一対の袖口フライス４０と、一つの表襟４１と、一つの襟裏フライス４２と、を備えている。
【００２０】
また、ジャケット１１は、一対の前見返と、一対の脇ポケット向当布と、一対の脇ポケット当布と、一つの衿芯と、を備えている。ジャケット１１は、ジャージー等の材料で構成された布地を裁断して得られたこれら部材を縫い合わせることで構成される。
【００２１】
ジャケット１１は、複数の異なる機能を有する布材により構成される。ジャケット１１は、例えば、一対の表前身３１、一対の前ヨーク３２、背ヨーク３３、表背身３５、一対の脇ハギ３６、一対の表袖３８、一対の後袖３９及び表襟４１がジャージーにより構成される。ジャケット１１は、一対の脇切替裾３７、一対の袖口フライス４０、及び、襟裏フライス４２が、ジャージーよりも伸縮性に富んだフライスにより構成される。また、ジャケット１１は、背切替３４がジャージー及びフライスよりも高い伸縮性を有するとともに、他の材料よりも摩擦抵抗が少ない、即ち滑りやすい材料により構成される。
【００２２】
一対の表前身３１は、前身頃２１の前裾を構成し、腸腰筋から大胸筋の上方までを覆う。一対の前ヨーク３２は、大胸筋の上方から鎖骨上部までを覆う。背ヨーク３３は、鎖骨上部から肩甲骨及び僧帽筋の上部までを覆う。背切替３４は、肩甲骨及び僧帽筋から肩関節の後方及び下方を通って、上腕三頭筋までの範囲を覆う。
【００２３】
表背身３５は、肩甲骨から下方、例えば肩甲骨から大臀筋を覆う。一対の脇ハギ３６は、脇腹から脇を通り、手首（袖口）までの腕下方を覆う。一対の脇ハギ３６は、袖２３の袖底を構成する。一対の脇切替裾３７は、表前身３１の下端である前身頃２１の前裾及び表背身３５の下端である後身頃２２の後裾を連続する。脇切替裾３７は、上端から下端に向かって幅が漸次広がる略三角形状に構成される。
【００２４】
一対の表袖３８は、肩関節の前方及び上方から肘関節の椀頭骨筋側を通って総指伸筋及び橈側手根屈筋から手首の親指側を覆う。一対の後袖３９は、上腕三頭筋から総指伸筋を通って手首の人差し指側小指側を覆う。一対の袖口フライス４０は、手首を環状に覆う。
【００２５】
表襟４１は、首を環状に覆い、前方が後方よりも下がり、且つ、後首において高さ方向の幅が狭く構成される。襟裏フライス４２は、首を環状に前方が後方よりも下がる。襟裏フライス４２は、表襟４１が外面側に一体に設けられ、その上端側が外方に露出する。
【００２６】
前見返は、一対の表前身３１及び一対の前ヨーク３２の内面の縁部に上下方向に沿って設けられ、ファスナー２１ａが表前身３１及び前ヨーク３２とともに縫い付けられる。
【００２７】
脇ポケット向当布及び脇ポケット当布は、表前身３１及び脇ハギ３６の間から前身頃２１の内面側に配置され、脇ポケット２５を構成する。衿芯は、表襟４１及び襟裏フライス４２の間に設けられる。
【００２８】
図９及び図１１に示すように、パンツ１２は、脇ポケット５１を有する。パンツ１２は、複数の部材を、脚の動き及び筋肉構造に沿うとともに、図９及び図１０に示す関節１００及びふくらはぎの運動部分を避けた縫い線で縫い合わせることで構成される。パンツ１２は、図１１に破線で示す股ぐり形状が人体の構造に沿って構成される。パンツ１２は、直立時の自然な姿勢の脚のカーブに沿った構造を有する。
【００２９】
具体的には、図９乃至図１１に示すように、パンツ１２は、一対の第１表前身６１と、一対の第２表前身６２と、一対の表後身６３と、一対の側身６４と、を備えている。また、パンツ１２は、一対の脇ポケット向当布と、一対の脇ポケット袋布と、一対の脇ポケット口布６６と、一対の口布芯と、を備えている。パンツ１２は、布材から裁断されたこれら部材を縫い合わせることで構成される。
【００３０】
パンツ１２は、複数の異なる機能を有する布材により構成される。パンツ１２は、例えば、一対の第１表前身６１、一対の第２表前身６２及び一対の表後身６３がジャージーにより構成される。パンツ１２は、一対の側身６４がジャージーよりも高い伸縮性を有する材料であって、例えば、背切替３４と同じ材料により構成される。
【００３１】
第１表前身６１は、腸腰筋から大腿四頭筋、膝関節を通って下腿三頭筋の前方上部（腓腹筋）を覆う。第１表前身６１は、大腿四頭筋の側方に位置する部位に、脇ポケットの口を構成するスリット６１ａを有する。第２表前身６２は、膝関節よりも下方であって、前傾骨筋から長指伸筋及び下腿三頭筋の前方下部（ヒラメ筋）を覆う。
【００３２】
表後身６３は、大殿筋から大腿二頭筋、半腱様筋、半膜様筋、脹ら脛（下垂三頭筋）を覆う。一対の側身６４は、大殿筋の側方から踝までの範囲を覆う。
【００３３】
脇ポケット向当布及び脇ポケット袋布は、第１表前身６１のスリットの一対の縁部に配置され、脇ポケットを構成する。脇ポケット口布６６は、パンツ１２の前身中央側のスリットの一の縁部に配置される。口布芯は、スリットの縁部及び脇ポケット口布の間に設けられる。
【００３４】
このように構成された衣類１によれば、ジャケット１１及びパンツ１２は、部材を縫い合わせるための縫い目を人体の動き及び筋肉構造に沿って配置するとともに、人体の関節部分に縫い目を配置しない構成としたことで、運動時に縫い目が人体の可動部に位置しない構成となる。これにより、運動時の縫い目による負荷を軽減し、高い着心地性を得ることが可能となる。
【００３５】
ジャケット１１は、背中から腕に渡る範囲に、他の構成よりも伸縮性の高い材料で構成された背切替３４を設けることで、運動時における肩及び肘の抵抗が減少し、運動性及び着心地性を向上することが可能となる。また、ジャケット１１は、背切替３４が腕に渡って設けられることで袖２３が設けられるとともに、腕が通り、且つ、袖２３が取り付けられるアームホールを要さず、また、背切替３４をより伸展させることが可能となり、運動性が向上する。
【００３６】
ジャケット１１は、フライスにより構成された脇切替裾３７で前裾及び後裾を連続させることで、裾の広がりを抑えるとともに、着座時等の前裾及び後裾が離間する方向に押圧されたときに脇切替裾３７が伸展する。これにより、ジャケット１１は、裾が広がることを抑え、美しいシルエットを得ることが可能となる。また、ジャケット１１は、着座時及び脚の振り出し時等に腹部や背中に圧迫感が生じることを防止することが可能となり、着心地性を向上することが可能となる。
【００３７】
ジャケット１１は、図４に示すように袖２３を側面視で前方に振るとともに、図２及び図３に示すように、正面視及び背面視で、直立時の人体の自然な姿勢の腕のカーブに沿った形状とするとともに、腕の動き及び筋肉の構造に沿って縫い線を設ける構成である。この構成により、ジャケット１１は、袖２３の形状を自然な人体の姿勢に近づけ、股、運動時に縫い目によって抵抗を生じさせることを抑制することで、運動性を向上させることが可能となる。
【００３８】
ジャケット１１は、襟２４の前方を下げることで、首の当たりを軽減させるとともに、襟２４の襟口２４ａを、襟口２４ａの上端部からの幅が前方側から後方に向かって漸次大きくなる構成とする。この構成により、襟２４は、頭部を後方へ傾斜させたときに、首に沿って襟口２４ａが変形可能となり、前傾姿勢や着座姿勢から首を上げやすくなる。
【００３９】
ジャケット１１は、袖２３の袖底を脇腹から袖２３に渡る脇ハギ３６により構成するとともに、分界線及び皮膚構造線に基づく体のカーブに沿った縫い線で表前身３１、背切替３４及び表背身３５と脇ハギ３６とを縫い合わせる。これにより、ジャケット１１は、腕の運動をスムースに行うことが可能となるとともに、運動時に腰及び胸周りの運動性を向上させることができる。
【００４０】
また、パンツ１２は、ジャケット１１と同様に、腿部の側方に位置する一対の側身６４に高い伸縮性を有し、且つ、摩擦抵抗の小さい材料を用いることで、運動時に生地が突っ張ることが無く、脚に負担が加わることを軽減できる。また、パンツ１２は、股ぐり形状を人体の構造に沿って構成する。さらに、パンツ１２は、関節１００及び脹ら脛の運動部分を避けて縫い目を設けるとともに、直立時に自然な姿勢のカーブとなる構成とする。これらの構成により、パンツ１２は、運動性を向上することが可能となる。
【００４１】
上述したように本考案に係る衣類１によれば、高い着心地性を有し、運動時の負荷を軽減可能となる。
【００４２】
なお、本考案は上述した一実施形態に限定されない。例えば、衣類１は、ジャケット１１又はパンツ１２に、脇ポケット２５、５１を有さない構成であってもよい。また、衣類１は、ジャケット１１のみ、又は、パンツ１２のみにより構成されていてもよい。また、ジャケット１１及びパンツ１２は、部材を縫い合わせるための縫い目を人体の動き及び筋肉構造に沿って配置するとともに、人体の関節部分に縫い目を配置しない構成であれば、上記構成に限定されない。
【００４３】
また、上述した例では、パンツ１２は、側身６４の材料を第１表前身６１、第２表前身６２及び表後身６３と異なる材料で構成する説明をしたがこれに限定されない。例えば、パンツ１２は、第１表前身６１、第２表前身６２、表後身６３及び側身６４が同じ材料の布地により構成されていてもよい。この他、本考案の要旨を逸脱しない範囲で、種々変形実施可能である。
【符号の説明】
【００４４】
１…衣類、１１…ジャケット、１２…パンツ、２１…前身頃、２１ａ…ファスナー、２２…後身頃、２３…袖、２３ａ…袖口、２４…襟、２４ａ…襟口、２５…脇ポケット、３１…表前身、３２…前ヨーク、３３…背ヨーク、３４…背切替、３５…表背身、３６…脇ハギ、３７…脇切替裾、３８…表袖、３９…後袖、４０…袖口フライス、４１…表襟、４２…襟裏フライス、５１…脇ポケット、６１…第１表前身、６１ａ…スリット、６２…第２表前身、６３…表後身、６４…側身、６６…脇ポケット口布、１００…関節、１２３…袖。
【図１】
0003207619.tif 000003
【図２】
0003207619.tif 000004
【図３】
0003207619.tif 000005
【図４】
0003207619.tif 000006
【図５】
0003207619.tif 000007
【図６】
0003207619.tif 000008
【図７】
0003207619.tif 000009
【図８】
0003207619.tif 000010
【図９】
0003207619.tif 000011
【図１０】
0003207619.tif 000012
【図１１】
0003207619.tif 000013
【手続補正書】
【提出日】平成28年9月15日(2016.9.15)
【手続補正１】
【補正対象書類名】実用新案登録請求の範囲
【補正対象項目名】全文
【補正方法】変更
【補正の内容】
【実用新案登録請求の範囲】
【請求項１】
ジャージーにより構成された前身頃と、
肩甲骨から肩関節の側方及び下方を通り上腕三頭筋までの範囲を覆う前記ジャージーよりも高い伸縮性を有する生地により構成された背切替、並びに肩甲骨から大臀筋を覆う前記ジャージーにより構成された表背身を有する、前記前身頃と縫い合わされる後身頃と、
前記前身頃及び前記後身頃と縫い合わされる前記ジャージーにより構成された一対の袖と、
を備えることを特徴とする衣類。
【手続補正２】
【補正対象書類名】明細書
【補正対象項目名】０００７
【補正方法】変更
【補正の内容】
【０００７】
本考案の一態様に係る衣類は、ジャージーにより構成された前身頃と、肩甲骨から肩関節の側方及び下方を通り上腕三頭筋までの範囲を覆う前記ジャージーよりも高い伸縮性を有する生地により構成された背切替、並びに肩甲骨から大臀筋を覆う前記ジャージーにより構成された表背身を有する、前記前身頃と縫い合わされる後身頃と、前記前身頃及び前記後身頃と縫い合わされる前記ジャージーにより構成された一対の袖と、を備える。